(57)【特許請求の範囲】
【請求項１】
カードが挿入されるカード挿入口と、このカード挿入口に連通したカード搬送路と、このカード搬送路を挟むようにして対接する駆動ローラおよびピンチローラと、前記カード搬送路に設けられた磁気ヘッドとを備えた磁気カード処理装置において、前記駆動ローラが軸着されモータを駆動源として回転する駆動軸と、この駆動軸に軸着された補助ローラと、この補助ローラよりカード搬送路後方側においてカード搬送路を挟んで対接する排出ローラおよびピンチローラとを備え、前記補助ローラと前記排出ローラ間をベルトによって張架するとともに、前記補助ローラの径を前記駆動ローラの径よりも小さく形成し、前記カード挿入口の後端にカード排出口を設けたことを特徴とする磁気カード処理装置。
【発明の詳細な説明】
【０００１】
【発明の属する技術分野】
本発明は、カード挿入口から挿入されたカードをカード挿入口と反対側のカード通路後方側からカードを排出可能にした磁気カード処理装置に関する。
【０００２】
【従来の技術】
この種の磁気カード処理装置においては、カード挿入口から挿入されたカードはカード搬送手段によってカード通路内に取り込まれ、磁気ヘッドによってカードのデータが処理された後は、カード搬送手段によってカード搬送路を逆方向に搬送し、カード挿入口から返却される。一方、使用済み等のカードであってカード挿入口から返却しないカードについては、カード搬送手段よりもカード通路の後方側に設けられたカード排出用の搬送手段によってカード通路の後方側のカード排出口から排出する。
【０００３】
この場合、磁気ヘッドによってカードのデータを処理している時に、カードの搬送が安定していないと、データの処理不良が発生するので、データを処理している時にはカード搬送手段によってのみ搬送され、カード排出用の搬送手段によって搬送されないような構造が要求されている。このような構造の磁気カード処理装置としては、特開平１０−２１３４３号公報に開示されたものがある。ここに開示されたものは、カード搬送路の後部側に設けた駆動ローラにピンチローラを接離自在に対接させ、磁気ヘッドでデータの処理を行っているときにはピンチローラを駆動ローラから離間させ、カードの搬送を安定させることにより、データの処理不良を防止している。一方、カードをカード搬送路の後端に設けたカード排出口から排出させる場合には、ピンチローラを駆動ローラに対接させている。
【０００４】
【発明が解決しようとする課題】
しかしながら、上述した従来の磁気カード処理装置においては、ピンチローラを駆動ローラに接離自在とするために揺動機構やソレノイドを必要とするので、部品点数が増加するだけでなく構造が複雑になるという問題があった。この問題を解決するために、カード搬送路の後端側の駆動ローラをさらに後方に配置させ、磁気ヘッドによってデータを処理しているときにカードの先端部が駆動ローラに接触しないようにすることも提案された。しかしながら、この場合には、駆動ローラと従動ローラ間に張架した搬送ベルトの全長が長くなるため、搬送ベルトの寸法精度が低下するために、カードの搬送が安定しないというだけでなく、構造上、カード通路の後端に位置付けられるモータによって装置全体が大型化するという問題があった。
【０００５】
本発明は上記した従来の問題に鑑みなされたものであり、第１の目的は部品点数を削減することにある。第２の目的は構造を簡素化することにある。
【０００６】
【課題を解決するための手段】
この目的を達成するために、本発明は、カードが挿入されるカード挿入口と、このカード挿入口に連通したカード搬送路と、このカード搬送路を挟むようにして対接する駆動ローラおよびピンチローラと、前記カード搬送路に設けられた磁気ヘッドとを備えた磁気カード処理装置において、前記駆動ローラが軸着されモータを駆動源として回転する駆動軸と、この駆動軸に軸着された補助ローラと、この補助ローラよりカード搬送路後方側においてカード搬送路を挟んで対接する排出ローラおよびピンチローラとを備え、前記補助ローラと前記排出ローラ間をベルトによって張架するとともに、前記補助ローラの径を前記駆動ローラの径よりも小さく形成し、前記カード挿入口の後端にカード排出口を設けたものである。
したがって、カードのデータを処理しているときは、補助ローラがカードに接触しない。一方、カードをカード排出口から排出させるときは、カードの先端部を排出ローラまで搬送することにより、カードがカード排出ローラとピンチローラとによって挟持される。
【０００７】
【発明の実施の形態】
以下、本発明の実施の形態を図を用いて説明する。図１は本発明に係る磁気カード処理装置を示し、同図（ａ）は平面図、同図（ｂ）は同図（ａ）におけるＩ−Ｉ  線断面図である。
同図において、全体を符号１で示す磁気カード処理装置には、対向する左右一対の側板２，３と、これら側板２，３間に水平状態に横架されたカード搬送板４とによってカード搬送路５が形成されている。このカード搬送路５の前端には、カード挿入口６を有するカード挿入口部材７が取り付けられ、後端にはカード排出口８が設けられている。
【０００８】
カード挿入口６とカード搬送路５とは連通され、カード挿入口６の後方には側板２，３間に横架された軸９に揺動自在に支承されたシャッタ部材１０が設けられている。このシャッタ部材１０はソレノイド１１によって、同図（ｂ）中軸９を揺動中心として時計または反時計方向に揺動可能で、前端のシャッタ部１０ａがカード搬送路５とカード挿入口６との間を開閉する。
【０００９】
１４はカード搬送路５の後部側で左右の側板２，３に固定されたモータであって、このモータ１４の側板３から突出したモータ軸（図示せず）には小径のプーリ１５が軸着されている。１６は左右の側板２，３間に回転自在に支持された駆動軸であって、この駆動軸１６の側板３から突出した突出端部には、大径のプーリ１７が軸着され、このプーリ１７と前記プーリ１５との間にはベルト１８が張架されている。
【００１０】
駆動軸１６には駆動ローラ２０と補助ローラ２１とが軸着され、駆動ローラ２０はカード搬送板４に穿設した窓（図示せず）から上端の一部がカード搬送路５内に臨んでいる。補助ローラ２１の外径Ｒ１は駆動ローラ２０の外径Ｒ２よりも小さく形成され、この補助ローラ２１の上端はカード搬送路５から退避した位置に位置付けられている。
【００１１】
２２，２３，２４は従動ローラであって、従動ローラ２２と駆動ローラ２０との間には駆動ベルト２５が張架され、この駆動ベルト２５は、従動ローラ２３，２４に添接され、上端側がカード搬送路５に臨むようにして、カード搬送路５の前後方向（図中矢印Ａ−Ｂ方向）に延在している。２７，２８，２９，３０はピンチローラであって、それぞれ従動ローラ２２，２３，２４および駆動ローラ２０に対接し、両端のピンチローラ２７，３０間に従動ベルト３１が張架されている。この従動ベルト３１は従動ベルト２３，２４に添接され、カード搬送路５を挟んで駆動ベルト２５に対接している。
【００１２】
３３はこの種の磁気カード処理装置には以前から広く使用されているパンチユニット、３５は上端がカード搬送路５に臨む磁気ヘッド、３６は磁気ヘッド３５に対接するタッチローラである。３８は排出ローラであって、カード搬送路５の最後端部でカード搬送路５に上端部が臨むように、軸３９に回転自在に支持され、この排出ローラ３８と前記補助ローラ２１間には排出ベルト４０が張架されている。４２は左右の側板２，３に固定されたブラケットであって、略中央に互いに対向する一対の腕部４３，４３が折曲形成されている。これら腕部４３，４３には上下方向に延在する長孔４４，４４が互いに対向するように設けられ、これら長孔４４，４４にはピンチローラ４５を回転自在に支持する軸４６の両端部が嵌挿され、軸４６は長孔４４に上下動自在に支承されている。対向する一対の腕部４３，４３間には軸４７が横架され、この軸４７に巻回されたねじりコイルばね４８の一端が軸４６を下方に付勢することにより、ピンチローラ４０が排出ローラ３８に対接している。磁気ヘッド３５の中心と排出ローラ３８の中心との間隔Ｌ１は、磁気カード５０の全長Ｌよりも大きく形成され、駆動ローラ２０の中心と排出ローラ３８の中心との間隔Ｌ２は、磁気カード５０の全長Ｌよりも短く形成されている。
【００１３】
次に、このような構成の磁気カード処理装置におけるカード処理動作を説明する。
図１（ｂ）に実線で示すように、予め、シャッタ部材１０は軸９を回動中心として時計方向に回動し、シャッタ部１０ａがカード挿入口６を開放した状態になっている。この状態で、カード挿入口６から磁気カード５０がカード搬送路５内に挿入されると、図示を省略したセンサによって磁気カードを検出し、モータ１４を正方向に駆動する。
【００１４】
モータ１４のモータ軸（図示せず）が同図（ｂ）中時計方向に回転し、プーリ１５も時計方向に回転するので、ベルト１８を介してプーリ１７も時計方向に回転し、軸１６が時計方向に回転する。軸１６と一体的に駆動ローラ２０と補助ローラ２１が時計方向に回転するので、搬送ベルト２５の上端側が矢印Ｂ方向に走行し、排出ベルト３９の上端側も矢印Ｂ方向に走行する。
【００１５】
したがって、カード挿入口６から挿入された磁気カード５０の先端が従動ローラ２２とピンチローラ２７との間に位置付けられると、磁気カード５０が搬送ベルト２５と従動ベルト３１とに挟持されるので、磁気カード５０は搬送ベルト２５の走行に追従して図中矢印Ｂ方向に走行する。磁気カード５０の後端が従動ローラ２２を通過すると、ソレノイド１１が作動しシャッタ部材１０が軸９を回動中心として図中反時計方向に回動するので、シャッタ部１０ａによってカード挿入口６が閉塞され、２枚目以降の磁気カードの挿入が規制される。
【００１６】
磁気カード５０が磁気ヘッド３５上に位置付けられると、タッチローラ３６によって磁気カード５０が磁気ヘッド３５上に密着するので、磁気カード５０は搬送ベルト２５によって搬送されながら、データが磁気ヘッド３５によって読み取られる。このとき、補助ローラ２１の外径Ｒ１が駆動ローラ２０の外径Ｒ２よりも小さく形成され、補助ローラ２１の上端がカード搬送路５から退避した位置に位置付けられていることにより、磁気カード５０の先端部は排出ベルト３９に接触していない。したがって、磁気カード５０には搬送ベルト２５だけが接触した状態になっているので、磁気カード５０の搬送が安定し、データの読取り不良が防止される。
【００１７】
磁気カード５０の後端が磁気ヘッド３５上に位置付けられると、モータ１４の駆動が停止し、磁気カード５０はカード搬送路５上で停止する。このとき、磁気ヘッド３５の中心と排出ローラ３８の中心との間隔Ｌ１が、磁気カード５０の全長Ｌよりも長く形成されていることにより、磁気カード５０の先端は排出ローラ３８に接触していない。
【００１８】
磁気カード処理装置１が付設された図示を省略した本体装置によるサービスが終了すると、モータ１４が逆方向に駆動し、駆動ローラ２０がベルト１８を介して図１（ｂ）中反時計方向に回転するので、搬送ベルト２５の上端側が図中矢印Ａ方向に走行する。磁気カード５０は搬送ベルト２５と従動ベルト３１とに挟持され、搬送ベルト２５の走行に追従して図中矢印Ｂ方向に搬送され、磁気ヘッド２４とタッチローラ３６との間を通過するときに、サービスに対応したデータの書き換えが行われる。このときも、磁気カード５０の先端部が排出ベルト４０に接触していないので、磁気カード５０の搬送が安定し、データの書き換え不良が防止される。さらに、磁気カード５０が図中矢印Ａ方向に搬送されると、ソレノイド１１が作動してシャッタ部材１０が軸９を回動中心として図中時計方向に回動する。したがって、シャッタ部１０ａによってカード挿入口６が開口されるので、パンチユニット３３においてデータの書き換えに対応して視認情報としてのパンチ孔が穿孔された後、磁気カード５０はカード挿入口６から返却される。
【００１９】
ここで、磁気ヘッド３５において、データの読み書きを行った結果、磁気カード５０のデータの残額が「０」になった、いわゆる使用済みカードになった場合は、モータ１４を正方向に駆動する。したがって、搬送ベルト２５の上端側が図中矢印Ｂ方向に走行するとともに、排出ベルト４０の上端側が図中矢印Ｂ方向に走行する。搬送ベルト２５の上端側が図中矢印Ｂ方向に走行することにより、磁気ヘッド３５上に位置付けられていた磁気カード５０も搬送ベルト２５に追従して矢印Ｂ方向に搬送される。
【００２０】
磁気カード５０の先端が排出ローラ３８上に位置付けられると、磁気ヘッド３５の中心と排出ローラ３８の中心との間隔Ｌ１が、磁気カード５０の全長Ｌよりも長く形成されていることにより、磁気カード５０の後端は磁気ヘッド３５上から離間している。また、駆動ローラ２０の中心と排出ローラ３８の中心との間隔Ｌ２が、磁気カード５０の全長Ｌよりも短く形成されていることにより、磁気カード５０の後端部が、駆動ローラ２０とピンチローラ３０とに確実に挟持されている。したがって、磁気カード５０の先端部が確実に排出ローラ３８とピンチローラ４５とに挟持され、排出ベルト４０の上端側が図中矢印Ｂ方向に走行しているので、排出ローラ３８が時計方向に回転し、これら排出ローラ３８とピンチローラ４５とによって磁気カード５０がカード排出口８から排出される。
【００２１】
このとき、排出ローラ３８がカード搬送路５の最後端部に位置付けられていることにより、カード排出口８から排出される磁気カード５０は、排出される直前まで、後端部が排出ローラ３８とピンチローラ４５とによって挟持されている。したがって、カード排出口８から排出される磁気カード５０は、排出される直前まで、搬送されているときと同じ水平状態の姿勢が保持されるので、カード排出口８から水平状態を保持しながら下方に略自然落下する。このため、排出された磁気カード５０は４隅が揃えられて積層されるので、磁気カード５０を紛失したり揃えたりする必要がない。
【００２２】
このように、磁気カード５０をカード排出口８から排出するのに、ソレノイド等の駆動源を必要としないから部品点数を削減することができる。また、常時対接している排出ローラ３８とピンチローラ４５とによって磁気カード５０を排出するようにしたので、構造が簡素化される。
【００２３】
カード搬送手段として、駆動ベルト２５と従動ベルト３１とを採用した例を挙げたが、カード搬送路５の全長が短い場合には、駆動ローラ２０とピンチローラ３０だけでもよい。また、カード排出口８から排出するカードを使用済みカードとしたが、カード挿入口６から排出させたくないカードであればよい。
【００２４】
【発明の効果】
以上説明したように本発明によれば、磁気カードをカード排出口から排出するのに、ソレノイド等の駆動源を必要としないから部品点数を削減することができる。また、常時対接している排出ローラとピンチローラとによって磁気カードを排出するようにしたので、構造が簡素化される。
【図面の簡単な説明】
【図１】本発明に係る磁気カード処理装置を示し、同図（ａ）は平面図、同図（ｂ）は同図（ａ）におけるＩ−Ｉ  線断面図である。
【符号の説明】
１…磁気カード処理装置、５…カード搬送路、６…カード挿入口、８…カード排出口、１４…モータ、１６…駆動軸、２０…駆動ローラ、２１…補助ローラ、２５…駆動ベルト、３１…従動ベルト、３５…磁気ヘッド、３８…排出ローラ、４０…排出ベルト、４５…ピンチローラ、５０…磁気カード。
【図１】
0003633478.tif 000002